(57)【要約】【課題】カスタマイズした発呼者オプションを通信装置（１０４）を介して提示するための方法およびシステムを提供する。【解決手段】この方法は、第２の通信装置にて発呼者からの着呼を受信する工程（４０４）を含む。この方法は、さらに、着呼に関連した発呼者識別（ＩＤ）情報を、格納されている予め定義した発呼者ＩＤ情報一覧と比較する工程（４０６）を含む。さらに、この方法は、カスタマイズした発呼者オプションを発呼者に提示する工程（４０８）を含む。着呼に関連した発呼者ＩＤ情報と格納されている予め定義した発呼者ＩＤ情報一覧との比較結果に応じて、カスタマイズした発呼者オプションが提示される。【選択図】      図４
2008154243.tif 000002
【特許請求の範囲】
【請求項１】
カスタマイズした発呼者オプションを通信装置を介して応答的に提示するための方法であって、
通信装置にて発呼者からの着呼を受信する工程と、
着呼に関連した発呼者識別（ＩＤ）情報を、格納されている予め定義した発呼者ＩＤ情報一覧と比較する工程と、
着呼に関連した発呼者ＩＤ情報と格納されている予め定義した発呼者ＩＤ情報一覧との比較結果に応じて、カスタマイズした発呼者オプションを発呼者に提示する工程と、からなる方法。
【請求項２】
着呼に関連した発呼者ＩＤ情報は電話番号を含む請求項１に記載の方法。
【請求項３】
着呼に関連した発呼者ＩＤ情報は氏名を含む請求項１に記載の方法。
【請求項４】
着呼に関連した発呼者ＩＤ情報は公衆交換電話網（ＰＳＴＮ）内に割り当てられている請求項１に記載の方法。
【請求項５】
格納されている予め定義した発呼者ＩＤ情報一覧は２つ以上の分類の発呼者ＩＤ情報を含む請求項１に記載の方法。
【請求項６】
カスタマイズした発呼者オプションは、着呼に関連した発呼者ＩＤ情報に関連した特定の分類の発呼者ＩＤ情報に応じて異なる請求項５に記載の方法。
【請求項７】
受信した着呼に関連した発呼者ＩＤ情報が格納されている予め定義した発呼者ＩＤ情報一覧中のエントリに関連していないとき、デフォルト発呼者オプションを発呼者に提示する工程を含む請求項１に記載の方法。
【請求項８】
通信装置にて発呼者が音声メッセージを記録することを可能とする工程を含む請求項７に記載の方法。
【請求項９】
通信装置にて発呼者からアクセスコードを受信する工程と、
アクセスコードを、格納されている予め定義した認可されるアクセスコード一覧と比較する工程と、
受信したアクセスコードと格納されている予め定義した認可されるアクセスコード一覧との比較結果に応じて、カスタマイズした発呼者オプションを発呼者に提示する工程と、を含む請求項７に記載の方法。
【請求項１０】
アクセスコードは、一組の文字、一連のトーン、および生体情報のうちの１つ以上である請求項７に記載の方法。
【請求項１１】
発呼者から着呼を受信するための受信機と、
予め定義した発呼者識別（ＩＤ）情報一覧を格納しているメモリと、
着呼に関連した発呼者ＩＤ情報をメモリに格納されている予め定義した発呼者ＩＤ情報一覧と比較し、その比較結果に応じて、カスタマイズした発呼者オプションを発呼者に応答的に提示するためのプロセッサと、からなる通信装置。
【請求項１２】
発呼者ＩＤ情報は電話番号を含む請求項１１に記載の通信装置。
【請求項１３】
発呼者ＩＤ情報は氏名を含む請求項１１に記載の通信装置。
【請求項１４】
着呼に関連した発呼者ＩＤ情報は公衆交換電話網（ＰＳＴＮ）内に割り当てられている請求項１１に記載の通信装置。
【請求項１５】
メモリに格納されている予め定義した発呼者ＩＤ情報一覧は２つ以上の分類の発呼者ＩＤ情報を含む請求項１１に記載の通信装置。
【請求項１６】
カスタマイズした発呼者オプションは、着呼に関連した発呼者ＩＤ情報に関連した特定の分類の発呼者ＩＤ情報に応じて異なる請求項１５に記載の通信装置。
【請求項１７】
通信装置に対する発呼要求を発呼者から受信するための受信機と、
予め定義した発呼者識別（ＩＤ）情報一覧を格納しているメモリと、
発呼要求に関連した発呼者ＩＤ情報をメモリに格納されている予め定義した発呼者ＩＤ情報一覧と比較し、その比較結果に応じて、カスタマイズした発呼者オプションを発呼者に応答的に提示するためのプロセッサと、からなる基地局トランシーバ（ＢＴＳ）。
【請求項１８】
発呼者ＩＤ情報は電話番号を含む請求項１７に記載のＢＴＳ。
【請求項１９】
発呼者ＩＤ情報は氏名を含む請求項１７に記載のＢＴＳ。
【請求項２０】
着呼に関連した発呼者ＩＤ情報は公衆交換電話網（ＰＳＴＮ）内に割り当てられている請求項１７に記載のＢＴＳ。
【請求項２１】
メモリに格納されている予め定義した発呼者ＩＤ情報一覧は２つ以上の分類の発呼者ＩＤ情報を含む請求項１７に記載のＢＴＳ。
【請求項２２】
カスタマイズした発呼者オプションは、着呼に関連した発呼者ＩＤ情報に関連した特定の分類の発呼者ＩＤ情報に応じて異なる請求項２１に記載のＢＴＳ。
【発明の詳細な説明】
【技術分野】
【０００１】
本発明は通信装置に関する。より詳細には、本発明はカスタマイズした発呼者オプションを通信装置を介して提示することに関する。
【背景技術】
【０００２】
通信装置は、音声および情報の交換を可能とする最も重要な道具のうちの１つとして知られている。通信装置は、通信ネットワークにおける他の通信装置と、音声、データおよび情報の送受信を行うことが可能である。通信装置の例には、携帯電話、スマートホン、留守番電話、モデム、有線の電話、ページャおよび携帯情報端末（ＰＤＡ）が含まれる。様々な技術を用いて、通信装置によってデータまたは音声を転送することが可能である。そのような技術の例には、公衆交換電話網（ＰＳＴＮ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  ｔｅｌｅｃｏｍｍｕｎｉｃａｔｉｏｎｓ  Ｓｅｒｖｉｃｅ）およびＧＰＲＳ（Ｇｅｎｅｒａｌ  Ｐａｃｋｅｔ  Ｒａｄｉｏ  Ｓｅｒｖｉｃｅ）などがある。
【０００３】
通信ネットワークでは、ユーザは通信装置に遠隔的にアクセスし、通信装置上に存在するデータまたは情報にアクセスすることが可能である。例えば、通信装置が着呼を受信するとき、この着呼は通信装置にて応対されることもあり、応対されないままであることもある。着呼が応対されないとき、予め記録されたメッセージが再生され、発呼者へ伝達されて、通信装置の所有者が不在であることまたは応対できないことを発呼者に通知する。この予め記録されたメッセージは、通信装置の所有者によって記録された、挨拶メッセージ、歓迎メッセージなどであることもある。予め記録されたメッセージの再生後、ユーザがメッセージを残すことや、あるいは通信装置に対するアクセスを取得するためにアクセスコードを入力することが可能である。
【発明の開示】
【発明が解決しようとする課題】
【０００４】
既存のシステムでは、通信装置の所有者が予め記録されたメッセージをカスタマイズすることは不可能である。さらに、通信装置の所有者が、様々な発呼者に対し、異なる予め記録されたメッセージを選択し、割り当てることは不可能である。所有者は通信装置に遠隔的にアクセスし、他の発呼者によって残されたメッセージにアクセスすることが可能である。通信装置の所有者がその残されたメッセージにアクセスを試みるとき、同じ予め記録されたメッセージが再生される。次いで、所有者は、通信装置のメッセージに対するアクセスを取得するためにアクセスコードを入力する。通信装置の所有者は予め記録されたメッセージを聞く必要はないので、そのような方式では多くの時間が浪費される。
【０００５】
さらに、遠隔のユーザによって入力されるアクセスコードのサイズは、通信装置の所有者が思い出せるよう、通常は小さい。アクセスコードのサイズが小さいことによって、アクセスコードはハッキングされ易く、このためセキュリティの問題が生じる。
【課題を解決するための手段】
【０００６】
上記問題点を解決するために、請求項１に記載の発明は、カスタマイズした発呼者オプションを通信装置を介して応答的に提示するための方法であって、通信装置にて発呼者からの着呼を受信する工程と、着呼に関連した発呼者識別情報を、格納されている予め定義した発呼者ＩＤ情報一覧と比較する工程と、着呼に関連した発呼者ＩＤ情報と格納されている予め定義した発呼者ＩＤ情報一覧との比較結果に応じて、カスタマイズした発呼者オプションを発呼者に提示する工程と、からなることを要旨とする。
【０００７】
請求項２に記載の発明は、請求項１に記載の方法において、着呼に関連した発呼者ＩＤ情報は電話番号を含むことを要旨とする。
請求項３に記載の発明は、請求項１に記載の方法において、着呼に関連した発呼者ＩＤ情報は氏名を含むことを要旨とする。
【０００８】
請求項４に記載の発明は、請求項１に記載の方法において、着呼に関連した発呼者ＩＤ情報は公衆交換電話網内に割り当てられていることを要旨とする。
請求項５に記載の発明は、請求項１に記載の方法において、格納されている予め定義した発呼者ＩＤ情報一覧は２つ以上の分類の発呼者ＩＤ情報を含むことを要旨とする。
【０００９】
請求項６に記載の発明は、請求項５に記載の方法において、カスタマイズした発呼者オプションは、着呼に関連した発呼者ＩＤ情報に関連した特定の分類の発呼者ＩＤ情報に応じて異なることを要旨とする。
【００１０】
請求項７に記載の発明は、請求項１に記載の方法において、受信した着呼に関連した発呼者ＩＤ情報が格納されている予め定義した発呼者ＩＤ情報一覧中のエントリに関連していないとき、デフォルト発呼者オプションを発呼者に提示する工程を含むことを要旨とする。
【００１１】
請求項８に記載の発明は、請求項７に記載の方法において、通信装置にて発呼者が音声メッセージを記録することを可能とする工程を含むことを要旨とする。
請求項９に記載の発明は、請求項７に記載の方法において、通信装置にて発呼者からアクセスコードを受信する工程と、アクセスコードを、格納されている予め定義した認可されるアクセスコード一覧と比較する工程と、受信したアクセスコードと格納されている予め定義した認可されるアクセスコード一覧との比較結果に応じて、カスタマイズした発呼者オプションを発呼者に提示する工程と、を含むことを要旨とする。
【００１２】
請求項１０に記載の発明は、請求項７に記載の方法において、アクセスコードは、一組の文字、一連のトーン、および生体情報のうちの１つ以上であることを要旨とする。
請求項１１に記載の発明は、通信装置であって、発呼者から着呼を受信するための受信機と、予め定義した発呼者識別情報一覧を格納しているメモリと、着呼に関連した発呼者ＩＤ情報をメモリに格納されている予め定義した発呼者ＩＤ情報一覧と比較し、その比較結果に応じて、カスタマイズした発呼者オプションを発呼者に応答的に提示するためのプロセッサと、からなることを要旨とする。
【００１３】
請求項１２に記載の発明は、請求項１１に記載の通信装置において、発呼者ＩＤ情報は電話番号を含むことを要旨とする。
請求項１３に記載の発明は、請求項１１に記載の通信装置において、発呼者ＩＤ情報は氏名を含むことを要旨とする。
【００１４】
請求項１４に記載の発明は、請求項１１に記載の通信装置において、着呼に関連した発呼者ＩＤ情報は公衆交換電話網内に割り当てられていることを要旨とする。
請求項１５に記載の発明は、請求項１１に記載の通信装置において、メモリに格納されている予め定義した発呼者ＩＤ情報一覧は２つ以上の分類の発呼者ＩＤ情報を含むことを要旨とする。
【００１５】
請求項１６に記載の発明は、請求項１５に記載の通信装置において、カスタマイズした発呼者オプションは、着呼に関連した発呼者ＩＤ情報に関連した特定の分類の発呼者ＩＤ情報に応じて異なることを要旨とする。
【００１６】
請求項１７に記載の発明は、基地局トランシーバ（ＢＴＳ）であって、通信装置に対する発呼要求を発呼者から受信するための受信機と、予め定義した発呼者識別情報一覧を格納しているメモリと、発呼要求に関連した発呼者ＩＤ情報をメモリに格納されている予め定義した発呼者ＩＤ情報一覧と比較し、その比較結果に応じて、カスタマイズした発呼者オプションを発呼者に応答的に提示するためのプロセッサと、からなることを要旨とする。
【００１７】
請求項１８に記載の発明は、請求項１７に記載のＢＴＳにおいて、発呼者ＩＤ情報は電話番号を含むことを要旨とする。
請求項１９に記載の発明は、請求項１７に記載のＢＴＳにおいて、発呼者ＩＤ情報は氏名を含むことを要旨とする。
【００１８】
請求項２０に記載の発明は、請求項１７に記載のＢＴＳにおいて、着呼に関連した発呼者ＩＤ情報は公衆交換電話網内に割り当てられていることを要旨とする。
請求項２１に記載の発明は、請求項１７に記載のＢＴＳにおいて、メモリに格納されている予め定義した発呼者ＩＤ情報一覧は２つ以上の分類の発呼者ＩＤ情報を含むことを要旨とする。
【００１９】
請求項２２に記載の発明は、請求項２１に記載のＢＴＳにおいて、カスタマイズした発呼者オプションは、着呼に関連した発呼者ＩＤ情報に関連した特定の分類の発呼者ＩＤ情報に応じて異なることを要旨とする。
【発明を実施するための最良の形態】
【００２０】
図１には、本発明の様々な実施形態による代表的な通信ネットワーク１００を示す。通信ネットワーク１００は、情報またはデータを交換することの可能な２つ以上の通信装置からなるネットワークである。通信ネットワーク１００は、第１の通信装置１０２、第２の通信装置１０４および基地局トランシーバ（ＢＴＳ）１０６を含む。図１には第１の通信装置１０２、第２の通信装置１０４およびＢＴＳ  １０６を示すが、本発明が複数の通信装置および複数のＢＴＳを含んでよいことが当業者には明らかであることが認識される。ＢＴＳ  １０６は、通信ネットワーク１００において、第１の通信装置１０２と第２の通信装置１０４との間の通信を補助する。例えば、第１の通信装置１０２は、ＢＴＳ  １０６を通じて第２の通信装置１０４に通信セッションを送信することが可能である。ＢＴＳ  １０６は、第１の通信装置１０２から第２の通信装置１０４まで、通信セッションのルーティングを行う。第１の通信装置１０２および第２の通信装置１０４は、発呼者に提示可能な１つ以上のカスタマイズした発呼者オプションを有することが可能である。発呼者は、第１の通信装置１０２におけるユーザであってよい。カスタマイズした発呼者オプションの例には、以下に限定されるものではないが、特権発呼者オプション、特別発呼者オプションおよびデフォルトの発呼者オプションが含まれる。第２の通信装置１０４にて呼が応対されないとき、デフォルト発呼者オプションが実行される。例えば、発呼者が第２の通信装置１０４に対し発呼を行い、このとき、第２の通信装置１０４の所有者が呼に応対することが不可能な場合がある。第２の通信装置１０４は発呼者に、発呼者がメッセージを記録し第２の通信装置１０４に格納するために用いることの可能なオプションの一覧を提供する。第２の通信装置１０４の所有者は、メッセージを再生することが可能であり、後でこのメッセージに基づき活動することができる。
【００２１】
図１では、第１の通信装置１０２および第２の通信装置１０４を固定電話として示すが、第１の通信装置１０２および第２の通信装置１０４が、携帯電話、モデム、スマートホン、有線の電話、ページャ、携帯情報端末（ＰＤＡ）など、他の任意の通信装置であってよいことは、当業者には明らかである。第１の通信装置１０２および第２の通信装置１０４は、通信ネットワーク１００において、互いと通信を行うことが可能である。通信ネットワーク１００の例には、以下に限定されるものではないが、ローカルエリアネットワーク（ＬＡＮ）、ワイドエリアネットワーク、公衆交換電話網（ＰＳＴＮ）、Ｗｉ−Ｆｉ（Ｗｉｒｅｌｅｓｓ  Ｆｉｄｅｌｉｔｙ  Ｎｅｔｗｏｒｋ）、ＨＩＰＥＲＬＡＮ（Ｈｉｇｈ  Ｐｅｒｆｏｒｍａｎｃｅ  Ｒａｄｉｏ  Ｌｏｃａｌ  Ａｒｅａ  Ｎｅｔｗｏｒｋ）が含まれる。様々な技術を用いて、第１の通信装置１０２および第２の通信装置１０４によってデータまたは情報を転送することが可能である。そのような技術の例には、公衆交換電話網（ＰＳＴＮ）、ＧＳＭ、ＵＭＴＳおよびＧＰＲＳなどがある。
【００２２】
図２には、本発明の様々な実施形態による第２の通信装置１０４のブロック図を示す。第２の通信装置１０４の例には、携帯電話、モデム、スマートホン、有線の電話、ページャ、携帯情報端末（ＰＤＡ）などが含まれる。第２の通信装置１０４は、受信機２０２、メモリ２０４およびプロセッサ２０６を備える。受信機２０２は、発呼者から着呼を受信するように適合されている。例えば、図１に見られるように、第２の通信装置１０４は、第１の通信装置１０２から着呼を受信することが可能である。発呼者は他の通信装置におけるユーザであってよい。例えば、発呼者は第１の通信装置１０２におけるユーザであってよい。また、受信機２０２は発呼者からアクセスコードを受信するように適合されている。発呼者は、認可されるアクセスコードを入力することによって、第２の通信装置１０４に対する遠隔アクセスを取得することが可能である。発呼者は、第２の通信装置１０４にてアクセスコードに基づき認証される。アクセスコードの例には、以下に限定されるものではないが、数字コード、英数字コード、一連のトーン、一組の文字、および生体情報が含まれる。
【００２３】
メモリ２０４は、予め定義した発呼者識別（ＩＤ）情報一覧を格納している。また、メモリ２０４は、例えば、予め定義した認可されるアクセスコード一覧、音声メッセージ、変更した発呼者オプションなど、他の情報も格納することが可能である。音声メッセージは、発呼者によって記録されたメッセージである。本発明の一実施形態では、予め定義した発呼者ＩＤ情報一覧は、ＢＴＳ  １０６にて格納されてよい。予め定義した発呼者ＩＤ情報一覧は、２つ以上の分類の発呼者ＩＤ情報を含んでよい。発呼者ＩＤ情報の分類には、特権ユーザクラス、特別ユーザクラス、通常のユーザクラスなどが含まれる。特権ユーザクラスは、１つ以上の特権のあるユーザの発呼者ＩＤ情報を含んでよい。特別ユーザクラスは、１つ以上の特別なユーザの発呼者ＩＤ情報を含んでよい。特権のあるユーザは、第２の通信装置１０４の所有者であってよい。特権のあるユーザは、第２の通信装置１０４に対する完全なアクセスを有してよい。特別なユーザは、第２の通信装置１０４の特権のあるユーザの友人、知人などであってよい。
【００２４】
プロセッサ２０６は、受信機２０２から受信した着呼に関連した発呼者ＩＤ情報を、メモリ２０４に格納されている予め定義した発呼者ＩＤ情報一覧と比較するように適合されている。着呼に関連した発呼者ＩＤ情報は、公衆交換電話網（ＰＳＴＮ）内に割り当てられている情報である。発呼者ＩＤ情報の例には、以下に限定されるものではないが、電話番号、携帯電話番号、氏名、性別、住所などが含まれる。
【００２５】
また、プロセッサ２０６は、カスタマイズした発呼者オプションを発呼者に応答的に提示するように適合されている。着呼に関連した発呼者ＩＤ情報と予め定義した発呼者ＩＤ情報一覧との比較結果に応じて、カスタマイズした発呼者オプションが提示される。発呼者は、第１の通信装置１０２におけるユーザであってよい。カスタマイズした発呼者オプションの例には、以下に限定されるものではないが、特権発呼者オプション、特別発呼者オプションおよびデフォルト発呼者オプションが含まれる。特権発呼者オプションは、特権のあるユーザに対し提示される１つ以上のオプションである。例えば、特権のあるユーザに対しては、第２の通信装置１０４に格納された記録されたメッセージへの直接的なアクセスを特権のあるユーザが取得する、１つ以上のオプションが提示される。特権のあるユーザは、第２の通信装置１０４の所有者であってよい。特権のあるユーザは、第２の通信装置１０４に対する完全なアクセスを有してよい。特別発呼者オプションは特別なユーザに対し提示される１つ以上のオプションである。例えば、特別なユーザには、特権のあるユーザが存在する場所、または特別なユーザが特権のあるユーザと連絡を取ることが可能である場所を特別なユーザに通知する、予め記録されたメッセージが再生される。特別なユーザは、第２の通信装置１０４の特権のあるユーザの友人、知人などであってよい。受信した着呼に関連した発呼者ＩＤ情報が予め定義した発呼者ＩＤ情報一覧中のエントリに関連していないとき、デフォルト発呼者オプションが発呼者に対し提示される。デフォルト発呼者オプションの例には、以下に限定されるものではないが、挨拶メッセージおよび歓迎メッセージが含まれる。挨拶メッセージは、特権のあるユーザが特権のあるユーザの不在について発呼者に通知し、特権のあるユーザに対するメッセージを記録することを発呼者に要求することの可能なメッセージであってよい。例えば、第２の通信装置１０４が第１の通信装置１０２から着呼を受信し、この着呼が第２の通信装置１０４にて応対されないとき、第１の通信装置１０２における発呼者は、第２の通信装置１０４にて音声メッセージを記録してもよい。
【００２６】
また、本発明の一実施形態では、プロセッサ２０６は、アクセスコードを、格納されている予め定義した認可されるアクセスコード一覧と比較するように適合されている。アクセスコードは、受信機２０２によって発呼者から、例えば、第１の通信装置１０２のユーザから受信される。アクセスコードの例には、数字コード、英数字コード、一連のトーン、一組の文字、および生体情報などが含まれる。格納されている予め定義した認可されるアクセスコード一覧は、第２の通信装置１０４にてメモリ２０４に格納される。第２の通信装置１０４に対する予め定義した認可されるアクセスコード一覧には、第２の通信装置１０４の１つ以上の特権のあるユーザの１つ以上の発呼者ＩＤ情報と、それらのそれぞれのアクセスコードとが含まれる。また、プロセッサ２０６は、受信したアクセスコードと格納されている予め定義した認可されるアクセスコード一覧との比較結果に応じて、カスタマイズした発呼者オプションを発呼者に提示するように適合されている。例えば、プロセッサ２０６はカスタマイズした発呼者オプションを第１の通信装置１０２に提示する。
【００２７】
図３には、本発明の様々な実施形態による代表的な基地局トランシーバ（ＢＴＳ）１０６のブロック図を示す。ＢＴＳ  １０６は、通信ネットワーク１００において、第１の通信装置１０２と第２の通信装置１０４との間の通信を補助する。例えば、第１の通信装置１０２は、第２の通信装置１０４に呼を送信することが可能である。第１の通信装置１０２から第２の通信装置１０４への呼は、ＢＴＳ  １０６を通じてルーティングされる。ＢＴＳ  １０６は、受信機３０２、メモリ３０４およびプロセッサ３０６を備える。受信機３０２は、通信装置（例えば、第１の通信装置１０２）に対する発呼要求を受信するように適合されている。第２の通信装置１０４に対する発呼要求は、発呼者から受信される。発呼者は、第１の通信装置１０２におけるユーザであってよい。また、受信機３０２は発呼者からアクセスコードを受信するように適合されている。発呼者は、認可されるアクセスコードを入力することによって、通信装置に対する遠隔的なアクセスを取得することが可能である。例えば、第１の通信装置１０２におけるユーザは、認可されるアクセスコードを入力することによって、第２の通信装置１０４に対する遠隔的なアクセスを取得することが可能である。発呼者は、第２の通信装置１０４にてアクセスコードに基づき認証される。アクセスコードの例には、以下に限定されるものではないが、数字コード、英数字コード、一組の文字、一連のトーン、および生体情報が含まれる。
【００２８】
メモリ３０４は、予め定義した発呼者ＩＤ情報一覧を格納している。また、メモリ３０４は、例えば、予め定義した認可されるアクセスコード一覧、音声メッセージ、カスタマイズした発呼者オプションなど、他の情報も格納することが可能である。音声メッセージは、発呼者によって記録されたメッセージである。例えば、通信装置１０２におけるユーザは音声メッセージを記録する。予め定義した発呼者ＩＤ情報一覧は、２つ以上の分類の発呼者ＩＤ情報を含んでよい。上述のように、分類の例には、特権ユーザクラス、特別ユーザクラス、通常のユーザクラスなどが含まれる。
【００２９】
プロセッサ３０６は、受信機３０２の受信した発呼要求に関連した発呼者ＩＤ情報を、メモリ３０４に格納されている予め定義した発呼者ＩＤ情報一覧と比較するように適合されている。着呼に関連した発呼者ＩＤ情報は公衆交換電話網（ＰＳＴＮ）内に割り当てられている情報である。発呼者ＩＤ情報の例には、以下に限定されるものではないが、電話番号、携帯電話番号、氏名、性別、住所などが含まれる。ＢＴＳ  １０６は、通信ネットワーク１００における１つ以上の通信装置に対する１つ以上の予め定義した発呼者ＩＤ情報一覧を含んでよい。第１の通信装置１０２および第２の通信装置１０４に対し、異なる予め定義した発呼者ＩＤ情報一覧があってよい。予め定義した発呼者ＩＤ情報一覧は、２つ以上の分類の発呼者ＩＤ情報を含んでよい。
【００３０】
また、プロセッサ３０６は、カスタマイズした発呼者オプションを発呼者に応答的に提示するように適合されている。着呼に関連した発呼者ＩＤ情報と予め定義した発呼者ＩＤ情報一覧との比較結果に応じて、カスタマイズした発呼者オプションが提示される。発呼者は、第１の通信装置１０２におけるユーザであってよい。カスタマイズした発呼者オプションの例には、以下に限定されるものではないが、特権発呼者オプション、特別発呼者オプションおよびデフォルト発呼者オプションが含まれる。特権発呼者オプションは、特権のあるユーザに対し提示される１つ以上のオプションである。例えば、特権のあるユーザに対しては、第２の通信装置１０４に格納された記録されたメッセージへの直接的なアクセスを特権のあるユーザが取得する、１つ以上のオプションが提示される。特別発呼者オプションは特別なユーザに対し提示される１つ以上のオプションである。受信した着呼に関連した発呼者ＩＤ情報が予め定義した発呼者ＩＤ情報一覧中のエントリに関連していないとき、デフォルト発呼者オプションが発呼者に対し提示される。
【００３１】
また、本発明の一実施形態では、プロセッサ３０６は、アクセスコードを、第２の通信装置１０４に対する格納されている予め定義した認可されるアクセスコード一覧と比較するように適合されている。アクセスコードは、受信機３０２によって発呼者から、例えば、第１の通信装置１０２におけるユーザから受信される。発呼者は、第２の通信装置１０４にてアクセスコードに基づき認証される。アクセスコードの例には、数字コード、英数字コード、一連のトーン、一組の文字、および生体情報などが含まれる。格納されている予め定義した認可されるアクセスコード一覧は、ＢＴＳ１０６にてメモリ３０４に格納される。通信装置に対する予め定義した認可されるアクセスコード一覧には、通信装置、例えば、第２の通信装置１０４の１つ以上の特権のあるユーザの１つ以上の発呼者ＩＤ情報と、それらのそれぞれのアクセスコードとが含まれる。また、プロセッサ３０６は、受信したアクセスコードと第２の通信装置に対する格納されている予め定義した認可されるアクセスコード一覧との比較結果に応じて、カスタマイズした発呼者オプションを発呼者に提示するように適合されている。例えば、プロセッサ３０６はカスタマイズした発呼者オプションを第１の通信装置１０２に提示する。
【００３２】
図４には、本発明の様々な実施形態による、カスタマイズした発呼者オプションを第２の通信装置１０４を介して応答的に提示するための方法を示すフローチャートを示す。この方法は、工程４０２にて開始する。工程４０４にて、第２の通信装置１０４は、第１の通信装置１０２に存在する発呼者から着呼を受信する。この着呼は受信機２０２によって受信される。工程４０６にて、着呼に関連した発呼者ＩＤ情報を、格納されている予め定義した発呼者ＩＤ情報一覧と比較する。着呼に関連した発呼者ＩＤ情報は公衆交換電話網（ＰＳＴＮ）内に割り当てられている情報である。プロセッサ２０６は、着呼に関連した発呼者ＩＤ情報を、格納されている予め定義した発呼者ＩＤ情報一覧と比較する。着呼が第２の通信装置１０４にて応対されないとき、発呼者ＩＤ情報は格納されている予め定義した発呼者ＩＤ情報一覧と比較される。予め定義した発呼者ＩＤ情報一覧は、特権ユーザクラス、特別ユーザクラスおよび通常のユーザクラスなど、様々な分類の発呼者ＩＤ情報を含んでよい。
【００３３】
工程４０８にて、着呼に関連した発呼者ＩＤ情報と格納されている予め定義した発呼者ＩＤ情報一覧との比較結果に応じて、カスタマイズした発呼者オプションが発呼者に対し提示される。プロセッサ２０６は、カスタマイズした発呼者オプションを発呼者に提示する。カスタマイズした発呼者オプションは、特権発呼者オプション、特別発呼者オプションおよびデフォルト発呼者オプションのうちの１つであってよい。特権発呼者オプションは、特権のあるユーザに対し提示される１つ以上のオプションである。特別発呼者オプションは特別なユーザに対し提示される１つ以上のオプションである。受信した着呼に関連した発呼者ＩＤ情報が予め定義した発呼者ＩＤ情報一覧中のエントリに関連していないとき、デフォルト発呼者オプションが発呼者に対し提示される。その後、方法は工程４１０にて終了する。
【００３４】
図５，６は、本発明の一実施形態による、カスタマイズした発呼者オプションを第２の通信装置１０４を介して応答的に提示するための方法を示すフローチャートである。この方法は、工程５０２にて開始する。工程５０４にて、第２の通信装置１０４は、第１の通信装置１０２に存在する発呼者から着呼を受信する。第１の通信装置１０２は、第２の通信装置１０４にアクセスするために、第２の通信装置１０４に着呼を送信する。この着呼は受信機２０２によって受信される。工程５０６にて、着呼に関連した発呼者ＩＤ情報を、格納されている予め定義した認可される発呼者ＩＤ情報一覧と比較する。着呼が第２の通信装置１０４にて応対されないとき、発呼者ＩＤ情報は格納されている予め定義した認可される発呼者ＩＤ情報一覧と比較される。着呼に関連した発呼者ＩＤ情報はＰＳＴＮ内に割り当てられている情報である。発呼者ＩＤ情報は、通信装置（例えば、第１の通信装置１０２）を識別するために用いられる情報である。プロセッサ２０６は、着呼に関連した発呼者ＩＤ情報を、メモリ２０４に格納されている予め定義した発呼者ＩＤ情報一覧と比較する。格納されている予め定義した発呼者ＩＤ情報一覧は、認可される通信装置の発呼者ＩＤ情報を含む。
【００３５】
工程５０８にて、第２の通信装置１０４は、発呼者からの着呼に関連した発呼者ＩＤ情報が、格納されている予め定義した発呼者ＩＤ情報一覧中に存在するか否かを検査する。着呼の発呼者ＩＤ情報が格納されている予め定義した発呼者ＩＤ情報一覧中のエントリに関連していないとき、工程５１０にて、カスタマイズした発呼者オプションが発呼者に対し提示される。カスタマイズした発呼者オプションが発呼者に対し提示された後、方法は工程５２２にて終了する。着呼の発呼者ＩＤ情報が格納されている予め定義した発呼者ＩＤ情報一覧中のエントリに関連していないとき、第２の通信装置１０４によってデフォルト発呼者オプションが発呼者に対し提示される。工程５１４にて、第２の通信装置１０４は、第２の通信装置１０４にて、発呼者から、例えば、第１の通信装置１０２におけるユーザから、アクセスコードが受信されたか否かを検査する。第２の通信装置１０４などの通信装置に対する遠隔的なアクセスを取得するために、ユーザによってアクセスコードが入力される。発呼者は、第２の通信装置１０４にてアクセスコードに基づき認証される。工程５１６にて、第２の通信装置１０４は、アクセスコードを、メモリ２０４に格納されている予め定義した認可されるアクセスコード一覧と比較する。一実施形態では、格納されている予め定義した認可されるアクセスコード一覧は、ＢＴＳ１０６にてメモリ３０４に格納されてよい。格納されている予め定義した認可されるアクセスコード一覧は、第２の通信装置１０４に対するものである。格納されている予め定義した認可されるアクセスコード一覧には、認可される発呼者ＩＤ情報と、それらのそれぞれのアクセスコードとが含まれる。アクセスコードが、格納されている予め定義した認可されるアクセスコード一覧におけるエントリに関連しているとき、工程５１８にて、カスタマイズした発呼者オプションが発呼者に対し提示される。カスタマイズしたオプションは、プロセッサ２０６によって提供される。アクセスコードが、格納されている予め定義した認可されるアクセスコード一覧に関連していないとき、工程５２０にて、第２の通信装置１０４にて発呼者が音声メッセージを記録することが可能となる。この音声メッセージは、着呼が第２の通信装置１０４にて応対されないとき、発呼者によって記録されるメッセージである。その後、方法は工程５２２にて終了する。
【００３６】
カスタマイズした発呼者オプションを通信装置を介して提示するための方法およびシステムの実施形態には、多くの利点が存在する。この方法によって、発呼者からの着呼の発呼者ＩＤ情報の自動識別に基づき、カスタマイズした発呼者オプションが発呼者に対し提示される。発呼者からの着呼に関連した発呼者ＩＤ情報は、ＰＳＴＮ内に割り当てられている。発呼者が、通信装置、例えば、第２の通信装置１０４の所有者として識別されるとき、この所有者には通信装置に対する直接的な完全なアクセスが提供される。通信装置の所有者に対しては、カスタマイズした発呼者オプションが提供され、デフォルト発呼者オプションは提示されない。発呼者が識別されないとき、デフォルト発呼者オプションが提示される。所有者は記録されたメッセージに直接的にアクセスすることが可能である。着呼が通信装置（例えば、第２の通信装置１０４）にて応対されなかったとき、他のユーザによって所有者に対しメッセージが記録される。さらに、この方法によって、第２の通信装置１０４に対する遠隔的なアクセスを取得する毎に発呼者がアクセスコードを入力する必要が除去される。したがって、この方法によって遠隔的に通信装置にアクセスするためのよりセキュアな環境が提供され、アクセスコードのハッキングの機会も減少する。
【図面の簡単な説明】
【００３７】
【図１】本発明の様々な実施形態による代表的な通信ネットワークの図。
【図２】本発明の様々な実施形態による代表的な通信装置のブロック図。
【図３】本発明の様々な実施形態による代表的な基地局トランシーバ（ＢＴＳ）のブロック図。
【図４】本発明の様々な実施形態による、カスタマイズした発呼者オプションを通信装置を介して応答的に提示するための方法を示すフローチャート。
【図５】本発明の一実施形態による、カスタマイズした発呼者オプションを通信装置を介して応答的に提示するための方法を示すフローチャート。
【図６】本発明の一実施形態による、カスタマイズした発呼者オプションを通信装置を介して応答的に提示するための方法を示すフローチャート。
【符号の説明】
【００３８】
２０２，３０２…受信機、２０４，３０４…メモリ、２０６，３０６…プロセッサ。
【図１】
2008154243.tif 000003
【図２】
2008154243.tif 000004
【図３】
2008154243.tif 000005
【図４】
2008154243.tif 000006
【図５】
2008154243.tif 000007
【図６】
2008154243.tif 000008